【事件の表示】
　特願２０１７−　９４０３５「Ｘ線撮影装置、Ｘ線撮影補助装置およびＸ線撮影方法」拒絶査定不服審判事件〔平成３０年１１月２９日出願公開、特開２０１８−１８７２２７、請求項の数（１２）〕について、次のとおり審決する。
【結　論】
　原査定を取り消す。
　本願の発明は、特許すべきものとする。
【理　由】
第１　手続の経緯
　本件出願（以下「本願」と記す。）は、平成２９年（２０１７年）５月１０日の出願であって、平成３１年４月１日に審査請求がなされ、令和２年１月７日付けで拒絶理由が通知され、同年３月５日に意見書及び手続補正書が提出され、同年４月３日付けで最後の拒絶理由が通知され、同年５月１５日付けで意見書及び手続補正書が提出され、同年７月２９日付けで同年５月１５日付けでされた手続補正についての補正の却下の決定がなされるとともに同日付けで拒絶査定（原査定）されたところ、同年１０月８日に拒絶査定不服審判の請求がなされると同時に提出された手続補正書により手続補正がなされ、同年１２月１６日に前置報告がなされたものである。
第２　原査定の概要
　原査定（令和２年７月２９日付け拒絶査定）の概要は次のとおりである。
　本願の下記の請求項に係る発明は、下記の引用文献１ないし４に記載された発明に基づいて、その発明の属する技術の分野における通常の知識を有する者（以下「当業者」という。）が容易に発明できたものであるから、特許法第２９条第２項の規定により特許を受けることができない。
　　　　　　　　　　　　　　　　　記
・請求項１，９及び１１−１２
・引用文献１及び４
・請求項２−８
・引用文献２，１及び４
・請求項１０
・引用文献１，３及び４
引用文献等一覧
１．特開２０１２−１１０３５５号公報
２．国際公開第２０１３／０５８０５５号
３．特開２０１７−６０７１０号公報
４．国際公開第２０１７／０３３２２８号
第３　審判請求時の補正について
　審判請求時の補正は、特許法第１７条の２第３項から第６項までの要件に違反しているものとはいえない。
　審判請求時の補正における、特許請求の範囲の請求項１、１１及び１２の「前記エア袋は、前記被検体を撮影する際に身体の一部を覆って前記被検体を固定するネットと前記被検体との間に配置されている」を「前記エア袋は、ネットと前記被検体との間に配置されており、前記ネットは、動きやすい前記被検体を撮影する際に身体の一部を覆って前記被検体を固定するものである」に変更する補正は、特許請求の範囲の減縮を目的とするものである。
　また、同補正における、明細書の段落【００１１】、【００１２】及び【００１３】の「前記エア袋は、前記被検体を撮影する際に身体の一部を覆って前記被検体を固定するネットと前記被検体との間に配置されている」を「前記エア袋は、ネットと前記被検体との間に配置されており、前記ネットは、動きやすい前記被検体を撮影する際に身体の一部を覆って前記被検体を固定するものである」に変更する補正は、補正により変更された請求項１，１１及び１２の記載に、明細書の記載をあわせるための補正であり、明瞭でない記載の釈明を目的とするものである。
　上記特許請求の範囲及び明細書の補正が、新規事項を追加するものではないかについて検討すると、上記補正により「前記エア袋は、前記被検体を撮影する際に身体の一部を覆って前記被検体を固定するネットと前記被検体との間に配置されている」から変更された「前記エア袋は、ネットと前記被検体との間に配置されており、前記ネットは、動きやすい前記被検体を撮影する際に身体の一部を覆って前記被検体を固定するものである」という事項は、明細書の段落【００６２】に開示されているから、当初明細書等に記載された事項であり、上記特許請求の範囲及び明細書の補正は新規事項を追加するものではないといえる。
　そして、「第４　本願発明」から「第６　対比・判断」までに示すように、補正後の請求項１−４に係る発明は、独立特許要件を満たすものである。
第４　本願発明
　本願請求項１ないし１２に係る発明（以下それぞれ「本願発明１」ないし「本願発明１２」という。）は、令和２年１０月８日提出の手続補正書により補正された特許請求の範囲の請求項１ないし１２に記載された事項により特定される発明であり、本願発明１ないし１２は以下のとおりである。（下線は補正箇所を表す。）
「【請求項１】
　Ｘ線束を被検体に照射するＸ線源と、
　前記被検体を透過した前記Ｘ線束を検出するＸ線撮像手段と、
　前記被検体の呼吸による体動によって内部の空気圧が変動するエア袋と、
　前記エア袋から伝達される空気圧を検出する空気圧検出手段と、
　前記空気圧検出手段によって検出される空気圧に基づいて前記Ｘ線束の照射タイミングの指示に関する情報を演算する演算手段と、を備え、
　前記エア袋は
、ネ
おり、
　前記ネットは、動きやすい前記被検体を撮影する際に身体の一部を覆って前記被検体を固定するものである
ことを特徴とするＸ線撮影装置。
　　【請求項２】
　前記演算手段は、前記空気圧検出手段によって検出される空気圧が極大値を示す時期を含むピーク期間内で前記Ｘ線束の照射を指示する情報を演算することを特徴とする請求項１に記載のＸ線撮影装置。
　　【請求項３】
　前記演算手段によって演算される前記Ｘ線束の照射タイミングの指示に関する情報を操作者に認識可能に報知する報知手段を備えることを特徴とする請求項１または請求項２に記載のＸ線撮影装置。
　　【請求項４】
　前記演算手段によって演算される前記Ｘ線束の照射タイミングの指示に関する情報は、無線通信によって前記報知手段に送信されることを特徴とする請求項３に記載のＸ線撮影装置。
　　【請求項５】
　前記報知手段は、発する光の色の変化によって前記Ｘ線束の照射タイミングの指示に関する情報を操作者に報知することを特徴とする請求項３または請求項４に記載のＸ線撮影装置。
　　【請求項６】
　前記報知手段は、発する光の強度または点滅速さの変化によって前記Ｘ線束の照射タイミングの指示に関する情報を操作者に報知することを特徴とする請求項３または請求項４に記載のＸ線撮影装置。
　　【請求項７】
　前記報知手段は、発する音の変化によって前記Ｘ線束の照射タイミングの指示に関する情報を操作者に報知することを特徴とする請求項３または請求項４に記載のＸ線撮影装置。
　　【請求項８】
　前記報知手段は、前記空気圧検出手段によって検出される空気圧の変動を波形で表示することによって前記Ｘ線束の照射タイミングの指示に関する情報を操作者に報知することを特徴とする請求項３または請求項４に記載のＸ線撮影装置。
　　【請求項９】
　前記演算手段によって演算される前記Ｘ線束の照射タイミングの指示に関する情報に基づいて前記Ｘ線源を駆動させる制御を行う駆動制御手段を備えることを特徴とする請求項１または請求項２に記載のＸ線撮影装置。
　　【請求項１０】
　前記エア袋は、使い捨て可能であり、
　前記エア袋と空気圧検出手段とを接続するチューブを備え、
　前記エア袋における前記チューブが接続される接続部には、前記エア袋の外から内への空気の流入を許容するとともに内から外への空気の流出を禁止する逆止弁が設けられており、前記逆止弁は、前記チューブが前記接続部に接続されるときに開放されることを特徴とする請求項１から請求項９のいずれか一項に記載のＸ線撮影装置。
　　【請求項１１】
　被検体の呼吸による体動によって内部の空気圧が変動するエア袋と、
　前記エア袋から伝達される空気圧を検出する空気圧検出手段と、
　前記空気圧検出手段によって検出される空気圧に基づいてＸ線束の照射タイミングの指示に関する情報を演算する演算手段と、
　前記演算手段によって演算される前記Ｘ線束の照射タイミングの指示に関する情報をＸ線撮影装置の操作者に認識可能に報知する報知手段と、を備え、
　前記エア袋は
、ネ
おり、
　前記ネットは、動きやすい前記被検体を撮影する際に身体の一部を覆って前記被検体を固定するものである
ことを特徴とするＸ線撮影補助装置。
　　【請求項１２】
　Ｘ線束を被検体に照射するＸ線源と、
　前記被検体を透過した前記Ｘ線束を検出するＸ線撮像手段と、を備えるＸ線撮影装置を用いて撮影を行うＸ線撮影方法であって、
　前記被検体の呼吸による体動によって内部の空気圧が変動するエア袋から伝達される空気圧を検出する検出ステップと、
　前記検出ステップにおいて検出される空気圧に基づいて前記Ｘ線束の照射タイミングの指示に関する情報を演算する演算ステップと、を含み、
　前記エア袋は
、ネ
おり、
　前記ネットは、動きやすい前記被検体を撮影する際に身体の一部を覆って前記被検体を固定するものである
第５　引用文献、引用発明等
１．引用文献１について
　原査定の拒絶の理由に引用された上記引用文献１には、図面とともに次の事項が記載されている。（下線は当審が付与した。以下同じ。）
（１）「【０００１】
　本発明は、
外部から入力される呼吸同期用信号に基づいて制御され、呼吸による体動の影響を抑制することができるようになっている、ＣＴスキャン装置
前記呼吸同期用信号を生成して出力することができる呼吸同期用信号生成装置と、呼吸の動作を検出する体動検出センサ
（２）「【００１５】
　本実施の形態に係る呼吸同期用信号生成装置について、呼吸同期用信号生成装置を備えたＣＴスキャン装置を例に説明する。
　
ＣＴスキャン装置１は、図１に示されているように、従来周知のＣＴスキャン装置と同様に、人体を走査するガントリ２、患者が仰臥する寝台３、等から概略構成されている。ガントリ２には、その中央部に、人体が挿入される所定の内径の貫通孔が明けられている。すなわち開口部５が設けられている。ガントリ２の内部には、図１には示されていないが、Ｘ線を曝射するＸ線源と、人体を透過したＸ線を検出する多数のセンサからなる検出器アレイとが、開口部５を挟んで対向する位置に設けられている。
ガントリ２には、ガントリ２と寝台３を制御したりデータを処理するコンピュータが設けられている。
【００１６】
　
寝台３は、床に設置される台座７と、台座７の上に設けられている略長方形の板状を呈するテーブル８とから構成されている。
【００１７】
　
テーブル８の上面には、本実施の形態に係る体動検出センサ１１が設けられている。体動検出センサ１１は、後でその構造を詳しく説明するように、圧力を受ける受圧部がシート状に形成されたセンサであり、テーブル８の上面に患者が仰臥したときに、患者の背面が受圧部が当たるようにして、呼吸の動きによる体動を電圧の変化として検出することができる。体動検出センサ１１には、フラットケーブル１２が接続され、フラットケーブル１２の先端には送信機１４が接続されている。
【００１８】
　
ガントリ２の近傍には、呼吸同期用信号生成装置１６が設置され、呼吸同期用信号生成装置１６とガントリ２は所定の信号ケーブル１８によって接続されている。
呼吸同期用信号生成装置１６には、受信部あるいは受信機が設けられ、送信機１４から送信される信号を受信することができるようになっている。
（３）「【００１９】
　
本実施の形態に係る体動検出センサ１１は、図２に示されているように、上面の面積が大きいシート状を呈する中空の第１の容器２１、所定の大きさの中空の第２の容器２２、第２の容器２２に格納されている薄膜センサ２３等から概略構成されている。第１の容器２１は、患者の背面とテーブルの間に挿入されて患者の背面の圧力を受ける受圧部になっているので、ポリ塩化ビニル、ポリプロピレン等の可撓性材料から形成されている
薄膜センサ２３には、以下に説明するように所定の接続用チップを介してフラットケーブル１２が接続され、フラットケーブル１２には、既に説明したように、送信機１４が接続されている。このような体動検出センサ１１、すなわち第１、２の容器２１、２２と連結管２５には、シリコンオイル２７が封入され、薄膜センサ２３は全体がシリコンオイル２７中に浸された状態になっている。
（４）「【００２１】
　本実施の形態に係る
呼吸同期用信号生成装置を備えたＣＴスキャン装置１の作用を説明する。図１に示されているように、患者Ｋを寝台３のテーブル８の上に仰臥させる。このとき、体動検出センサ１１の受圧部、すなわち第１の容器２１の位置を調整して、例えば、肩胛骨近傍、臀部等の、患者の背面とテーブル８が接触する部分に受圧部が当たるように挿入する。患者Ｋは呼吸の動作と心臓の鼓動による体動によってわずかに動く。体動検出センサ１１の受圧部は体動による圧力の変化を受ける。そして、シリコンオイル２７を介して作用した圧力の変化を、薄膜センサ２３において電圧の変化として検出する。
検出された電圧の変化を送信機１４によって呼吸同期用信号生成装置１６に送信する。呼吸同期用信号生成装置１６では、入力された電圧の波形を処理して呼吸に同期するパルス信号、すなわち同期用信号を生成する。生成した同期用信号をガントリ２に入力する。
【００２２】
　テーブル８を駆動して患者Ｋを開口部５に挿入し、断層画像を撮影したい部位が開口部５の中心に位置するようにする。
ガントリ２に入力される同期用信号に同期して、Ｘ線を曝射して断層画像を撮影する。
（５）「【００２４】
　本実施の形態に係る断層画像装置は、色々な変形が可能である。例えば、体動検出センサ１１と呼吸同期用信号生成装置１６は、送受信機によって無線通信されているように説明されているが、所定の信号ケーブルによって直接接続されていてもよい。ただし、このような信号ケーブルは、寝台のテーブルの裏側や縁部に配線して、断層画像の撮影の妨げにならないようにする必要がある。また、
体動検出センサ１１の第１、２の容器２１、２２にはシリコンオイルが封入されているように説明されているが、鉱物油等の他の液体であっても同様に実施することができる。さらには、このようなシリコンオイル等の液体の代わりに、二酸化炭素、窒素ガス等の不活性ガス、空気等の気体が封入されていてもよい。
（６）「【図１】
」
（７）「【図２】
」
　上記引用文献１の記載事項及び図面を総合勘案すると、引用文献１には、次の発明（以下「引用発明１」という。）が記載されていると認められる。
　
「呼吸同期用信号を生成して出力することができる呼吸同期用信号生成装置と、呼吸の動作を検出する体動検出センサを備え、呼吸同期用信号に基づいて制御され、呼吸による体動の影響を抑制することができるようになっているＣＴスキャン装置及び方法において、
　ＣＴスキャン装置１は、人体を走査するガントリ２、患者が仰臥する寝台３、等から構成され、
　ガントリ２には、その中央部に、人体が挿入される所定の内径の貫通孔すなわち開口部５が設けられており、ガントリ２の内部には、Ｘ線を曝射するＸ線源と、人体を透過したＸ線を検出する多数のセンサからなる検出器アレイとが、開口部５を挟んで対向する位置に設けられており、ガントリ２には、ガントリ２と寝台３を制御したりデータを処理するコンピュータが設けられており、
　寝台３は、床に設置される台座７と、台座７の上に設けられている略長方形の板状を呈するテーブル８とから構成されており、テーブル８の上面には、体動検出センサ１１が設けられており、
　体動検出センサ１１は、上面の面積が大きいシート状を呈する中空の第１の容器２１、所定の大きさの中空の第２の容器２２、第２の容器２２に格納されている薄膜センサ２３等から構成され、第１の容器２１は、患者の背面とテーブルの間に挿入されて患者の背面の圧力を受ける受圧部になっており、薄膜センサ２３には、所定の接続用チップを介してフラットケーブル１２が接続され、フラットケーブル１２には、送信機１４が接続されており、テーブル８の上面に患者が仰臥したときに、患者の背面が第１の容器２１である受圧部に当たるようにして、呼吸の動きによる体動を電圧の変化として検出することができるものであり、このような体動検出センサ１１、すなわち第１、２の容器２１、２２と連結管２５には、シリコンオイル２７が封入され、薄膜センサ２３は全体がシリコンオイル２７中に浸された状態になっているが、シリコンオイルの代わりに、空気等の気体が封入されていてもよく、
　ガントリ２の近傍には、呼吸同期用信号生成装置１６が設置され、呼吸同期用信号生成装置１６とガントリ２は所定の信号ケーブル１８によって接続され、呼吸同期用信号生成装置１６には、受信部あるいは受信機が設けられ、送信機１４から送信される信号を受信することができるようになっており、
　呼吸同期用信号生成装置を備えたＣＴスキャン装置１の作用は、患者Ｋを寝台３のテーブル８の上に仰臥させ、このとき、体動検出センサ１１の受圧部、すなわち第１の容器２１の位置を調整して、例えば、肩胛骨近傍、臀部等の、患者の背面とテーブル８が接触する部分に受圧部が当たるように挿入し、患者Ｋは呼吸の動作と心臓の鼓動による体動によってわずかに動き、体動検出センサ１１の受圧部は体動による圧力の変化を受け、そして、圧力の変化を、薄膜センサ２３において電圧の変化として検出し、検出された電圧の変化を送信機１４によって呼吸同期用信号生成装置１６に送信し、呼吸同期用信号生成装置１６では、入力された電圧の波形を処理して呼吸に同期するパルス信号、すなわち同期用信号を生成し、生成した同期用信号をガントリ２に入力し、ガントリ２に入力される同期用信号に同期して、Ｘ線を曝射して断層画像を撮影するものである、
ＣＴスキャン装置及び方法。」
　
２．引用文献２について
　原査定の拒絶の理由に引用された上記引用文献２には、段落［００９６］［００９８］［０１０５］［０１１４］等に、放射線を用いた撮影を行う装置方法において、撮影タイミングを、色、表示、音声、グラフ等で示す技術が開示されている。
３．引用文献３について
　原査定の拒絶の理由に引用された上記引用文献３には、段落【００３３】に生体信号を測定する空気袋に逆止弁を用いる技術が開示されている。
４．引用文献４について
　原査定の拒絶の理由に引用された上記引用文献４には、次の事項が記載されている。
「[0069]　図６は、
光ファイバシート１０による嚥下運動の測定
[0070]　具体的には、横幅が１００ｍｍ、縦幅が５００ｍｍの矩形状のシート状体１２に、プラスチック光ファイバを図５の配設例に従って配設することにより光ファイバシート１０を構成した。
この光ファイバシート１０を、伸縮性を有する材料からなる環状のネット（医療用ネット包帯）を用いて、喉頭部を中心に被験者の首回りに装着した。
　上記引用文献４の記載事項を総合勘案すると、引用文献４には、次の技術（以下「引用文献４開示技術」という。）が記載されていると認められる。
「光ファイバシート１０による嚥下運動の測定において、光ファイバシート１０を、伸縮性を有する材料からなる環状のネット（医療用ネット包帯）を用いて、喉頭部を中心に被験者の首回りに装着する技術。」
５．引用文献５について
　令和２年１２月１６日に作成された前置報告書において引用文献５として引用された、本願の出願前に頒布された刊行物である「“調査報告:小児撮影について〜施設調査結果とともに〜”，かながわ放射線だより，公益社団法人神奈川県放射線技師会, ２０１４年５月７日発行，Vol.67，No.1，p.15-16」には、写真とともに次の事項が記載されている。
(1)「体躯部をネット、
固定した
　以上の
固定具
は小児の体動を抑制して
撮影時
」(第１６ページ下方より）
　上記引用文献５の記載事項及び写真を総合勘案すると、引用文献５には、次の技術（以下「引用文献５開示技術」という。）が記載されていると認められる。
「撮影時に小児の体動を抑制する固定具としてのネット」
６．引用文献６について
　当審で新たに発見した、本願の出願前に頒布された刊行物である「特開平９−２９４７３３号公報」（以下「引用文献６」という。）には、図面とともに次の事項が記載されている。
（１）「【００１９】そして、この発明の磁気共鳴断層撮影装置の特徴的構成として、ガントリ部１の内部空間の被検体に装着される呼吸検出器（体動検出手段）２１と、呼吸検出器２１からの体動検出信号に基づいてＲＦパルスＰ１とＣＨＥＳＳパルスＰ２の励起周波数を調整するための励起周波数調整手段を具備する。呼吸検出器２１は、ガントリ部１の内部空間における被検体の体動を検出して体動の程度に比例した強度を持つ体動検出信号を出力するものである。この
呼吸検出器２１は、図３に示すように、被検体Ｍの腹部に巻ける長さのベルト２２の片面に空気袋２３が取り付けられているとともに、空気袋２３の内部と連通するチューブ２４により空気袋２３と圧力センサ２５との間が接続された構成のものである
【００２０】
呼吸検出器２１は、図４に示すように、空気袋２３を内側にしてベルト２２を被検体Ｍの腹部に巻き付け、面ファスナー（図示省略）などで止め付けて動かないようにして使われる。
（２）「【図３】
」
（３）「【図４】
」
　上記引用文献６の記載事項及び図面を総合勘案すると、引用文献６には、次の技術（以下「引用文献６開示技術」という。）が記載されていると認められる。
「被検体Ｍの腹部に巻ける長さのベルト２２の片面に空気袋２３が取り付けられているとともに、空気袋２３の内部と連通するチューブ２４により空気袋２３と圧力センサ２５との間が接続された構成のものである呼吸検出器２１を、
空気袋２３を内側にしてベルト２２を被検体Ｍの腹部に巻き付け、面ファスナーなどで止め付けて動かないようにして使う技術。」
第６　対比・判断
１．本願発明１について
（１）対比
　本願発明１を、引用発明１と比較する。
　ア　引用発明１の「Ｘ線を曝射するＸ線源」は、本願発明１における「Ｘ線束を被検体に照射するＸ線源」に相当する。
　イ　引用発明１の「人体を透過したＸ線を検出する多数のセンサからなる検出器アレイ」は、本願発明１における「被検体を透過した」「Ｘ線束を検出するＸ線撮像手段」に相当する。
　ウ　引用発明１では、「体動検出センサ１１は、上面の面積が大きいシート状を呈する中空の第１の容器２１、所定の大きさの中空の第２の容器２２、第２の容器２２に格納されている薄膜センサ２３等から構成され、第１の容器２１は、患者の背面とテーブルの間に挿入されて患者の背面の圧力を受ける受圧部になっており、薄膜センサ２３には、所定の接続用チップを介してフラットケーブル１２が接続され、フラットケーブル１２には、送信機１４が接続されており、テーブル８の上面に患者が仰臥したときに、患者の背面が第１の容器２１である受圧部に当たるようにして、呼吸の動きによる体動を電圧の変化として検出することができるものであ」り、「体動検出センサ１１、すなわち第１、２の容器２１、２２と連結管２５には、シリコンオイル２７が封入され、薄膜センサ２３は全体がシリコンオイル２７中に浸された状態になっているが、シリコンオイルの代わりに、空気等の気体が封入されていてもよ」いことから、空気が封入された場合の引用発明１の「体動検出センサ１１」の「上面の面積が大きいシート状を呈する中空の第１の容器２１」は、本願発明１における「前記被検体の呼吸による体動によって内部の空気圧が変動するエア袋」に相当し、引用発明１の「体動検出センサ１１」の「薄膜センサ２３」は、本願発明１における「エア袋から伝達される空気圧を検出する空気圧検出手段」に相当する。
　エ　引用発明１では、「体動検出センサ１１の受圧部は体動による圧力の変化を受け、そして、圧力の変化を、薄膜センサ２３において電圧の変化として検出し、検出された電圧の変化を送信機１４によって呼吸同期用信号生成装置１６に送信し、呼吸同期用信号生成装置１６では、入力された電圧の波形を処理して呼吸に同期するパルス信号、すなわち同期用信号を生成し、生成した同期用信号をガントリ２に入力し、ガントリ２に入力される同期用信号に同期して、Ｘ線を曝射して断層画像を撮影するものである」ことから、引用発明１の「呼吸同期用信号生成装置１６」は、本願発明１における「前記空気圧検出手段によって検出される空気圧に基づいて前記Ｘ線束の照射タイミングの指示に関する情報を演算する演算手段」に相当する。
　オ　引用発明１の「ＣＴスキャン装置」は、本願発明１の「Ｘ線撮影装置」に相当する。
　すると、本願発明１と、引用発明１とは、次の点で一致する。
＜一致点＞
「Ｘ線束を被検体に照射するＸ線源と、
　前記被検体を透過した前記Ｘ線束を検出するＸ線撮像手段と、
　前記被検体の呼吸による体動によって内部の空気圧が変動するエア袋と、
　前記エア袋から伝達される空気圧を検出する空気圧検出手段と、
　前記空気圧検出手段によって検出される空気圧に基づいて前記Ｘ線束の照射タイミングの指示に関する情報を演算する演算手段と、を備え、
たＸ線撮影装置。」
　一方で、両者は、次の点で相違する。
＜相違点＞
　エア袋が、本願発明１では「ネットと前記被検体との間に配置されており、
　前記ネットは、動きやすい前記被検体を撮影する際に身体の一部を覆って前記被検体を固定するものである」のに対し、引用発明１では「患者Ｋを寝台３のテーブル８の上に仰臥させ」「患者の背面とテーブル８が接触する部分に」エア袋である「第１の容器２１」「が当たるように挿入し」ている点。
（２）判断
　前記「（１）」で記載した相違点について判断する。
　ア　上記「第５　４．」の引用文献４開示技術は、光ファイバシート１０というセンサを伸縮性を有する材料からなる環状のネット（医療用ネット包帯）を用いて被検者の首回りに装着する技術である。
　ここで引用発明１の体動検出センサ１１の中空の第１の容器２１は、人体に接触させるセンサであるから、引用発明１において、第１の容器２１を人体に接触させる技術として、上記引用文献４開示技術の環状のネット（医療用ネット包帯）を採用して、第１の容器２１を環状のネット（医療用ネット包帯）と人体の間に配置することは、当業者ならば容易になしえたことである。
　しかしながら、引用文献４開示技術の環状のネット（医療用ネット包帯）は、センサを人体に固定するものであるが、上記相違点に係る「動きやすい前記被検体を撮影する際に身体の一部を覆って前記被検体を固定するもの」ではない。
　ゆえに、引用発明１に引用文献４開示技術を採用したとしても、上記相違点に係る構成とはならない。
　イ　上記「第５　５．」の引用文献５開示技術は、小児の体動を抑制する固定具としてのネットである。
　ここで引用発明１において、患者が小児である場合に患者を固定する技術として、上記引用文献５開示技術のネットを採用して、引用発明１に動きやすい前記被検体を撮影する際に身体の一部を覆って前記被検体を固定するネットを備えることは、当業者ならば容易になしえたことである。
　しかしながら、引用発明１に引用文献５開示技術のネットを採用したとしても、引用発明１の体動検出センサ１１の第１の容器２１は、患者の背面とテーブル８が接触する部分に挿入されていることから、上記相違点に係る「前記エア袋は、ネットと前記被検体との間に配置されてお」るものではない。
　ゆえに、引用発明１に引用文献５開示技術を採用したとしても、上記相違点に係る構成とはならない。
　ウ　上記「第５　６．」の引用文献６開示技術は、呼吸検出器２１の空気袋２３をベルト２２の内側に配置して被検体Ｍの腹部に巻き付け、面ファスナーなどで止め付けて動かないようにして使う技術である。
　ここで引用発明１の体動検出センサ１１の中空の第１の容器２１は、人体に接触させるセンサであるから、引用発明１において、第１の容器２１を人体に接触させる技術として、上記引用文献６開示技術を採用して、第１の容器２１をベルトや面ファスナーと人体の間に配置することは、当業者ならば容易になしえたことである。
　しかしながら、引用文献６開示技術のベルトや面ファスナーは、センサを人体に固定するものであるが、上記相違点に係る「エア袋は、ネットと前記被検体との間に配置されており、前記ネットは、動きやすい前記被検体を撮影する際に身体の一部を覆って前記被検体を固定するもの」ではない。
　ゆえに、引用発明１に引用文献６開示技術を採用したとしても、上記相違点に係る構成とはならない。
　エ　さらに、引用発明１の第１の容器２１を人体に固定するために、引用文献４開示技術を採用し、さらに撮影時の小児の体動を抑制するために引用文献５開示技術を採用した場合は、容器の固定の課題と人体の固定の課題の２つの課題をそれぞれ解決するためにそれぞれの技術を採用することとなり、当業者が容易になしうるものであるが、その場合には、引用文献５開示技術のネットはあくまで人体の固定目的であり、引用発明１の第１の容器２１を固定するためのネットではないから、上記相違点に係る構成とはならない。
　オ　そして、引用発明１の第１の容器２１を人体に固定するために、引用文献６開示技術を採用し、さらに撮影時の小児の体動を抑制するために引用文献５開示技術を採用した場合は、容器の固定の課題と人体の固定の課題の２つの課題をそれぞれ解決するためにそれぞれの技術を採用することとなり、当業者が容易になしうるものであるが、その場合には、引用文献５開示技術のネットはあくまで人体の固定目的であり、引用発明１の第１の容器２１を固定するためのネットではないから、上記相違点に係る構成とはならない。
　カ　以上のことから、上記相違点に係る発明特定事項を引用発明１、引用文献４ないし６に開示された技術から当業者が導き出すことはできない。
　キ　また、引用文献２は上記「第５　２．」より、放射線を用いた撮影を行う装置方法において、撮影タイミングを、色、表示、音声、グラフ等で示す技術が開示されている文献であり、引用文献３は上記「第５　３．」より、生体信号を測定する空気袋に逆止弁を用いる技術が開示されている文献であることから、引用文献２ないし３には、上記相違点に係る構成の技術は開示されていない。
　ク　以上のことから、上記相違点に係る発明特定事項を引用発明１及び引用文献２ないし６に記載された技術から当業者が導き出すことはできない。
（３）小括
　したがって、本願発明１は、当業者であっても、引用発明１及び引用文献２ないし６に記載された技術に基づいて当業者が容易に発明できたものとはいえない。
２．本願発明２ないし１０について
　本願発明２ないし１０も、本願発明１の上記相違点に係る発明特定事項を備えるものであるから、本願発明１と同じ理由により、当業者であっても、引用発明１及び引用文献２ないし６に記載された技術に基づいて当業者が容易に発明できたものとはいえない。
３．本願発明１１について
　本願発明１１は、本願発明１の「Ｘ線束を被検体に照射するＸ線源と、前記被検体を透過した前記Ｘ線束を検出するＸ線撮像手段と、」という発明特定事項を削除し、本願発明１の末尾の「Ｘ線撮影装置」を「Ｘ線撮影補助装置」に変更した発明であることから、本願発明１１も、本願発明１の上記相違点に係る発明特定事項を備えるものとなるので、本願発明１と同じ理由により、当業者であっても、引用発明１及び引用文献２ないし６に記載された技術に基づいて当業者が容易に発明できたものとはいえない。
４．本願発明１２について
　本願発明１２は、本願発明１の「Ｘ線撮影装置」を「Ｘ線撮影方法」という方法のカテゴリーに変更した発明であることから、本願発明１２も、本願発明１の上記相違点に係る発明特定事項を備えるものとなるので、本願発明１と同じ理由により、当業者であっても、引用発明１及び引用文献２ないし６に記載された技術に基づいて当業者が容易に発明できたものとはいえない。
第７　原査定について
　審判請求時の補正により、本願発明１ないし１２は「前記エア袋は、ネットと前記被検体との間に配置されており、前記ネットは、動きやすい前記被検体を撮影する際に身体の一部を覆って前記被検体を固定するものである」という事項を有するものとなっており、当業者であっても、拒絶査定において引用された引用文献１ないし４に基づいて、容易に発明できたものとはいえない。したがって、原査定の理由を維持することはできない。
第８　むすび
　以上のとおり、原査定の理由によっては、本願を拒絶することはできない。
　また、他に本願を拒絶すべき理由を発見しない。
　よって、結論のとおり審決する。